(57)【要約】【課題】洗濯物を干したり取り込んだりしやすく、洗濯物が雨に濡れにくい物干し具のカバーを提供することを目的とする。【解決手段】物干し具２０のカバー１０は、シートＳからなり、物干し具２０の上を覆う。この物干し具２０のカバー１０は、シートＳの縁からシートＳの内側に向けて延びる、下側が凸となるように谷折りまたは上側が凸となるように山折りされてなる補強部を少なくとも１つ備える。補強部は、シートＳにおける、谷折りの谷底または山折りの尾根を挟んだ一方側と他方側とがくっつけられてなる。【選択図】図２
2020185034.tif 000002
【特許請求の範囲】
【請求項１】
シートからなり、物干し具の上を覆う物干し具のカバーであって、
前記シートの縁から前記シートの内側に向けて延びる、下側が凸となるように谷折りまたは上側が凸となるように山折りされてなる補強部を少なくとも１つ備え、
前記補強部は、前記シートにおける、前記谷折りの谷底または前記山折りの尾根を挟んだ一方側と他方側とがくっつけられてなることを特徴とする物干し具のカバー。
【請求項２】
前記シートは、矩形形状を有し、
前記補強部は、
前記シートの各角部に設けられ、前記シートが下側に凸となるように谷折りされてなる第１補強部と、
前記シートの各辺に対応して少なくとも１つずつ設けられ、前記シートが上側に凸となるように山折りされてなる第２補強部であって、前記山折りの尾根が前記各辺から前記シートの内側に向かって延びる第２補強部と、
を備えることを特徴とする請求項１に記載の物干し具のカバー。
【請求項３】
前記シートの中央部には、物干し具のフックが通過可能な孔が形成されていることを特徴とする請求項１または請求項２に記載の物干し具のカバー。
【請求項４】
一端が前記シートに固定された、前記シートを物干し具に固定するためのリボン状の固定部材をさらに備えることを特徴とする請求項１から請求項３のいずれか１項に記載の物干し具のカバー。
【発明の詳細な説明】
【技術分野】
【０００１】
本発明は、洗濯物を干すための物干し具のカバーに関する。
【背景技術】
【０００２】
従来、物干し具に干した洗濯物（洗濯した衣料品など）が雨に濡れないようにするため、物干し具と洗濯物を覆うカバーが知られている（特許文献１）。この物干し具のカバーは、上側を覆う屋根カバーと、横側を覆う防水カーテンを備えている。
【先行技術文献】
【特許文献】
【０００３】
【特許文献１】特許第４３５３４４４号
【発明の概要】
【発明が解決しようとする課題】
【０００４】
しかしながら、洗濯物を横側から覆う防水カーテンがあると、洗濯物を干したり、取り込んだりしにくく、作業性が悪い。一方、防水カーテンがないと、屋根カバーが防いだ雨水が屋根カバーの端から洗濯物にかかってしまうことがあった。
【０００５】
そこで、本発明は、洗濯物を干したり取り込んだりしやすく、洗濯物が雨に濡れにくい物干し具のカバーを提供することを目的とする。
【課題を解決するための手段】
【０００６】
前記した目的を達成するため、本発明の物干し具のカバーは、シートからなり、物干し具の上を覆う。この物干し具のカバーは、シートの縁からシートの内側に向けて延びる、下側が凸となるように谷折りまたは上側が凸となるように山折りされてなる補強部を少なくとも１つ備える。補強部は、シートにおける、谷折りの谷底または山折りの尾根を挟んだ一方側と他方側とがくっつけられてなる。
【０００７】
このように構成された物干し具のカバーによれば、シートからなるシンプルな構造でありながら、補強部を備えることで、物干し具の上を覆った場合にシートの外周を構成する縁部分が垂れ下がってしまうことを抑制できる。シートの縁部分が垂れ下がらないことで、縁部分が庇となり、物干し具に吊るした洗濯物が雨に濡れてしまうことを抑制できる。また、庇によって、洗濯物が濡れるのを抑制し、洗濯物の横にカバーを設けないので、洗濯物を干したり取り込んだりするときの邪魔にならない。
【０００８】
また、前記した構成において、シートは、矩形形状を有し、補強部は、シートの各角部に設けられ、シートが下側に凸となるように谷折りされてなる第１補強部と、シートの各辺に対応して少なくとも１つずつ設けられ、シートが上側に凸となるように山折りされてなる第２補強部であって、山折りの尾根が前記各辺からシートの内側に向かって延びる第２補強部と、を備える構成としてもよい。
【０００９】
これによれば、シートが矩形の場合には、シートの各角部に第１補強部と、シートの各辺に第２補強部との２種類の補強部を備えることで、シートの縁部分が垂れ下がってしまうことを抑制できる。
【００１０】
また、前記した構成において、第１補強部は、シートの谷折りの谷底を挟んだ一方側と他方側とが溶着されてなる構成としてもよい。
【００１１】
これによれば、第１補強部を作りやすく、コストアップを抑制できる。
【００１２】
また、前記した構成において、第２補強部は、シートの山折りの尾根を挟んだ一方側と他方側とが溶着されてなる構成としてもよい。
【００１３】
これによれば、第２補強部を作りやすく、コストアップを抑制できる。
【００１４】
また、前記した構成において、シートの中央部には、物干し具のフックが通過可能な孔が形成されている構成としてもよい。
【００１５】
また、前記した構成において、一端がシートに固定された、シートを物干し具に固定するためのリボン状の固定部材をさらに備える構成としてもよい。
【００１６】
これによれば、カバーを物干し具に固定することができるので、カバーが外れたり、めくれてしまうことを抑制できる。
【発明の効果】
【００１７】
本発明によれば、洗濯物を干したり取り込んだりしやすく、洗濯物が雨に濡れにくい物干し具のカバーを提供することができる。
【図面の簡単な説明】
【００１８】
【図１】本発明の一実施形態に係る物干し具のカバーを物干し具に取り付けた状態を示す斜視図である。
【図２】物干し具と物干し具のカバーを示す斜視図である。
【図３】物干し具のカバーを真上から見た図である。
【図４】第１補強部の断面図（ａ）と、第２補強部の断面図（ｂ）と、固定部材の断面図（ｃ）である。
【図５】物干し具のカバーの作り方を説明する図（ａ），（ｂ），（ｃ）である。
【図６】物干し具のカバーが雨を防ぐ様子を説明する図である。
【図７】物干し具のカバーが防いだ雨が流れる通り道を示す図である。
【図８】変形例における物干し具のカバーを示す図である。
【図９】変形例における物干し具のカバーを示す図（ａ），（ｂ），（ｃ）である。
【発明を実施するための形態】
【００１９】
次に、本発明の一実施形態について、適宜図面を参照しながら詳細に説明する。
図１に示すように、カバー１０は、物干し具２０の上を覆う物干し具２０のカバーである。
【００２０】
物干し具２０は、例えば、洗濯した衣料品などの洗濯物を干すためのものである。図２に示すように、物干し具２０は、枠体２１と、複数のピンチ２２と、フック２３とを主に備える。
【００２１】
枠体２１は、矩形形状を有する枠である。ピンチ２２は、洗濯物を挟んで固定する固定器具であり、枠体２１に紐や鎖などで吊り下げされている。フック２３は、枠体２１と紐や鎖などで連結されており、枠体２１の中央部分の上方に位置している。フック２３は、所定箇所に引っ掛けて物干し具２０を所定箇所に吊り下げるためのものである。
【００２２】
カバー１０は、矩形形状を有するシートＳからなる。シートＳの寸法（縦幅Ｌ１、横幅Ｌ２）は、対応する物干し具２０（縦幅Ｌ３、横幅Ｌ４）よりも一回り大きな寸法である（Ｌ１＞Ｌ３、Ｌ２＞Ｌ４）。カバー１０は、カバー１０を補強する補強部としての第１補強部１１および第２補強部１２と、孔１３と、固定部材１４とを備える。
【００２３】
第１補強部１１は、シートＳの各角部に設けられている。本実施形態では、第１補強部１１は、シートＳの４つの角部のそれぞれに設けられている。
【００２４】
第１補強部１１は、シートＳが下側に凸となるように谷折りされてなる。図３に示すように、谷折りの谷底１１Ａは、シートＳの角からシートＳの中央部に向かって延びている。
【００２５】
図４（ａ）に示すように、第１補強部１１は、シートＳにおける、谷折りの谷底１１Ａを挟んだ一方側１１Ｂと他方側１１Ｃとがくっつけられてなる。本実施形態では、第１補強部１１は、シートＳの谷折りの谷底１１Ａを挟んだ一方側１１Ｂと他方側１１Ｃとが溶着されている。
【００２６】
図２に示すように、第２補強部１２は、シートＳの各辺に対応して少なくとも１つずつ設けられている。本実施形態では、第２補強部１２は、シートＳの４つの辺に対応して、各辺の中央に１つずつ設けられている。
【００２７】
第２補強部１２は、シートＳが上側に凸となるように山折りされてなる。第２補強部１２は、山折りの尾根１２Ａが各辺からシートＳの内側、具体的にはシートＳの中心部に向かって延びている。
【００２８】
図４（ｂ）に示すように、第２補強部１２は、シートＳにおける、山折りの尾根１２Ａを挟んだ一方側１２Ｂと他方側１２Ｃとがくっつけられてなる。本実施形態では、第２補強部１２は、シートＳの山折りの尾根１２Ａを挟んだ一方側１２Ｂと他方側１２Ｃとが溶着されている。
【００２９】
図２、図３に示すように、シートＳの中央部には、物干し具２０のフック２３が通過可能な孔１３が形成されている。孔１３には、孔１３の縁から延びるスリット１３Ａが形成されている。スリット１３Ａは、フック２３を通過させるときに通過させやすくするためのものである。
【００３０】
固定部材１４は、一端がシートＳに固定された、シートＳを物干し具２０に固定するためのリボン状の部材である。図４（ｃ）に示すように、固定部材１４は、細長いリボン形状を有し、一端がシートＳに固定され、他端に面ファスナＭ１が設けられている。シートＳにも固定部材１４の面ファスナＭ１とくっつくことができる面ファスナＭ２が設けられている。固定部材１４は、固定部材１４とシートＳの間に物干し具２０の一部を挟んだ後、面ファスナＭ１を面ファスナＭ２にくっつけることで、シートＳを物干し具２０に固定することができるようになっている。
【００３１】
シートＳの材料は、防水性および可撓性を有していれば特に限定されるものではないが、本実施形態では、厚さ０．２５ｍｍの透明の塩化ビニル樹脂である。なお、シートＳの厚さは、５ｍｍ以下が望ましく、０．１〜２ｍｍがさらに望ましい。
【００３２】
カバー１０を構成するシートＳの大きさは、物干し具２０の大きさに合わせて適宜決定すればよいが、カバー１０の前後左右の縁が、物干し具２０から３〜１０ｃｍはみでるような大きさにするとよい。例えば、本実施形態では、カバー１０の縦幅Ｌ１は、物干し具２０の縦幅Ｌ３より８〜１２ｃｍ長い（図２参照）。同様に、カバー１０の横幅Ｌ２は、物干し具２０の横幅Ｌ３より８〜１２ｃｍ長い。このようにして、カバー１０の前後左右の縁が物干し具２０からそれぞれ４〜６ｃｍはみ出るようになっている。
【００３３】
次に、図５（ａ），（ｂ），（ｃ）を参照して、本実施形態のカバー１０の作り方を説明する。
カバー１０を作るときには、図５（ａ）に示すように、まず、シートＳを準備し、シートＳの中央に孔１３とスリット１３Ａを形成する。そして、固定部材１４を、シートＳの中央と角部の間に溶着によりくっつける。
【００３４】
次に、図５（ｂ）に示すように、シートＳの角部を下側が凸となるように谷折りする。
そして、谷底１１Ａを挟んだ一方側１１Ｂおよび他方側１１Ｃを溶着してくっつけて第１補強部１１を形成する。
また、山折りしたときの尾根１２ＡがシートＳの辺の中央からシートＳの中心部に向かうように、上側が凸となる山折りする。そして、尾根１２Ａを挟んだ一方側１２Ｂおよび他方側１２Ｃを溶着してくっつけて第２補強部１２を形成する。
【００３５】
次に、図５（ｃ）に示すように、第１補強部１１を形成したときにできた角を切断する。この角の切断は、省略してもよい。また、第１補強部１１の角を切断したときにできた角を切断してもよい。また、第２補強部１２を形成したときにできた角を切断してもよい。
【００３６】
以上のような本実施形態のカバー１０によれば、以下のような作用効果を得ることができる。
【００３７】
図６に示すように、縦幅がＬ１であるカバー１０を、縦幅Ｌ３である物干し具２０に取り付けると、幅の差Ｌ１−Ｌ３の寸法だけ、カバー１０が物干し具２０からはみ出る。同様に、横幅がＬ２であるカバー１０を、横幅Ｌ４である物干し具２０に取り付けると、幅の差Ｌ２−Ｌ４の寸法だけ、カバー１０が物干し具２０からはみ出る。
カバー１０は、第１補強部１１および第２補強部１２を備えるので、はみ出た庇のような部分（以下の説明では、はみ出た部分を「庇」といい、図６では符号Ｈで示す。）が下方に垂れ下がってしまうことを抑制できる。シートＳの縁部分が垂れ下がらないことで、物干し具に吊るした洗濯物が雨に濡れてしまうことを抑制できる。また、庇Ｈによって、洗濯物が濡れるのを抑制し、洗濯物の横にカバーを設けないので、洗濯物を干したり取り込んだりするときの邪魔にならない。
【００３８】
なお、図７に示すように、カバー１０が防いだ雨の水のほとんどは、第１補強部１１と第２補強部１２の間を流れ落ちる。また、雨水の一部は、第１補強部１１の谷底１１Ａと溶着部分の間の隙間から流れ落ちる。このため、カバー１０が防いだ雨水も洗濯物にかかりにくい。
【００３９】
また、カバー１０の第１補強部１１および第２補強部１２は、シートＳを折り、溶着することにより形成されているので、カバー１０の構造がシンプルである。このため、壊れにくく、コストアップを抑制できる。
【００４０】
また、カバー１０には、物干し具２０に固定するための固定部材１４を備えるので、カバー１０が外れたり、めくれてしまうことを抑制できる。
【００４１】
また、カバー１０が透明な材料からなるので、物干し具２０にカバー１０を装着した状態であっても、作業者が洗濯物を見やすく、作業しやすい。
【００４２】
カバー１０が可撓性を有する材料からなるので、カバー１０を使わないときには、折りたたむことができる。このため、販売時、輸送時はもちろんのこと、使用しないときに折りたたむことで、邪魔にならない。
【００４３】
以上、本発明の実施形態について説明したが、本発明は前記実施形態に限定されるものではない。具体的な構成については、本発明の趣旨を逸脱しない範囲で適宜変更が可能である。なお、前記実施形態と同様の構成要素については、同一符号を付して、その説明を省略することとする。
【００４４】
前記実施形態では、第２補強部が、シートＳの各辺に対応して、各辺の中央に１つずつ設けられていたが、本発明はこれに限定されるものではなく、シートＳの各辺に対応して複数設けられていてもよい。
例えば、図８に示す物干し具のカバー１１０は、第２補強部１１２が、シートＳの長辺に対応して３つ、短辺に対応して１つずつ設けられている。この変形例における物干し具のカバー１１０によっても、前記実施形態と同様に、洗濯物を干したり取り込んだりするときの邪魔にならず、物干し具に吊るした洗濯物が雨に濡れてしまうことを抑制できる。
【００４５】
前記実施形態では、カバー１０を構成するシートＳが矩形形状を有していたが、本発明はこれに限定されるものではなく、シートが他の形状を有していてもよい。
【００４６】
例えば、図９（ａ）に示すカバー２１０は、カバー２１０を構成するシートが六角形形状を有している。カバー２１０は、下側が凸となるように谷折りされてなる補強部２１１と、上側が凸となるように山折りされてなる補強部２１２とを備える。補強部２１１および補強部２１２は、それぞれシートの角部に位置し、交互に並んで配置されている。
【００４７】
また、図９（ｂ）に示すカバー３１０は、カバー３１０を構成するシートが長円形形状を有している。カバー３１０は、下側が凸となるように谷折りされてなる補強部３１１と、上側が凸となるように山折りされてなる補強部３１２とを備える。補強部２１１および補強部２１２は、それぞれシートの縁に位置し、交互に並んで配置されている。
【００４８】
また、図９（ｃ）に示すカバー４１０は、カバー４１０を構成するシートが円形形状を有している。カバー４１０は、下側が凸となるように谷折りされてなる補強部４１１と、上側が凸となるように山折りされてなる補強部４１２とを備える。補強部２１１および補強部２１２は、それぞれシートの縁に位置している。
【００４９】
以上に説明したカバー２１０，３１０，４１０によっても、シートの縁からシートの内側に向けて延びる補強部を備えることで、シートの縁部分が垂れ下がってしまうことを抑制できる。この結果、前記実施形態と同様に、洗濯物を干したり取り込んだりするときの邪魔にならず、物干し具に吊るした洗濯物が雨に濡れてしまうことを抑制できる。物干し具は、矩形のみならず、多角形、円形など、さまざまな形状を有する場合があるので、物干し具の形状に対応して、カバーを形成するシート形状を決めればよい。
【００５０】
前記実施形態では、カバー１０は、カバーを補強する補強部として複数の補強部を備えていたが、補強部は１つだけでもよい。
【００５１】
前記実施形態では、カバー１０は、シートが下側に凸となるように谷折りされてなる第１補強部１１と、シートが上側に凸となるように山折りされてなる第２補強部１２とを備えていたが、カバーは、谷折りからなる補強部のみを備える構成であってもよいし、山折りからなる補強部のみを備える構成であっても構わない。
【００５２】
前記実施形態では、第１補強部および第２補強部が溶着によりくっつけられて構成されていたが、第１補強部および第２補強部がボタンや面ファスナによってくっつけられていてもよいし、糊、接着剤、テープなどにより接着によりくっつけられていてもよい。
【００５３】
前記実施形態では、シートＳの材料が塩化ビニル樹脂であったが、本発明はこれに限定されるものではない。シートＳの材料は、他の樹脂材料、例えば、ＰＰ、ＰＥ、ＰＥＴなどでもよく、樹脂以外の材料、例えば、金属、布、皮、紙などであってもかまわない。
【００５４】
前記実施形態では、シートＳが透明であったが、本発明はこれに限定されるものではなく、半透明や不透明のシートでもよく、シートに模様、絵、文字などが施されていてもかまわない。
【００５５】
また、前記した各実施形態及び各変形例の各要素は、任意に組み合わせて実施することが可能である。
【符号の説明】
【００５６】
１０    カバー
１１    第１補強部
１１Ａ  谷底
１１Ｂ  一方側
１１Ｃ  他方側
１２    第２補強部
１２Ａ  尾根
１２Ｂ  一方側
１２Ｃ  他方側
１３    孔
１３Ａ  スリット
１４    固定部材
２０    物干し具
２１    枠体
２２    ピンチ
２３    フック
１１０  カバー
１１２  第２補強部
Ｈ      庇
Ｓ      シート
【図１】
2020185034.tif 000003
【図２】
2020185034.tif 000004
【図３】
2020185034.tif 000005
【図４】
2020185034.tif 000006
【図５】
2020185034.tif 000007
【図６】
2020185034.tif 000008
【図７】
2020185034.tif 000009
【図８】
2020185034.tif 000010
【図９】
2020185034.tif 000011